(57)【要約】      （修正有）【課題】拡声筒に動いたりぶつかり合うような要素がなく立体的な透明感や高級感溢れる美観を呈するようなメガホンを提供する。【解決手段】本メガホンは、拡声筒が内筒１とその外側の透明外筒２とから構成され、拡声筒の後部には、内筒１に設けられたネジ部１０に螺合するネジ部１２が設けられた吹き口１１が取り付けられている。この吹き口１１は前記透明外筒２を止めておく役割をも担っている。なおこの実施例では、透明外筒２の肉厚は、拡声筒の拡声口に近い側よりも吹き口１１に近い側の方が厚くなる。吹き口１１の側に口を当てて発声すると、その声は前記拡声口から前方に拡声される。内筒１と透明外筒２とは密着するように設けられている。また内筒１の外周面には印刷が施されている。吹き口１１は内筒１に対して、前記ネジ部１０，１２により着脱自在である。したがって吹き口１１を外せば異なる印刷の内筒１に取り替えることが出来る。【選択図】図１
0003165694.tif 000002
【実用新案登録請求の範囲】
【請求項１】
拡声筒と該拡声筒の後部に設けられた吹き口とから成り、前記拡声筒は内筒と外筒との二重構造を呈しており、前記外筒は透明であって、前記外筒が前記内筒との間に隙間を有して前記内筒とは前後の縁部で固定的に支持されるように設けられているが、または前記外筒が前記内筒に密着するように設けられているメガホン。
【請求項２】
拡声筒と該拡声筒の後部に設けられた吹き口とから成り、前記拡声筒は内筒と中間筒と外筒との三重構造を呈しており、前記中間筒は前記内筒に密着するように設けられていると共に、前記外筒は透明であって、前記外筒が前記中間筒との間に隙間を有して前記中間筒および前記内筒とは前後の縁部で固定的に支持されるように設けられているが、または前記外筒が前記中間筒に密着するように設けられているメガホン。
【請求項３】
前記吹き口が前記拡声筒に対して着脱自在に設けられている、請求項１または請求項２に記載のメガホン。
【考案の詳細な説明】
【技術分野】
【０００１】  この考案は少なくとも拡声筒部分が立体的な透明感や高級感溢れる美観を呈する、スポーツ観戦などに用いるためのメガホンに関する。
【背景技術】
【０００２】  特開２００１−１０９４７８号の「二重壁を有するメガホン」は当出願人に係る出願であり、この発明の第１の目的は、単に拡声するのみならず反響作用を付与することができるようにすることにある。またこの発明の第２の目的は、拍子木としての利用を可能にすることにある。またこの発明の第３の目的は、拡声筒に透明感を出させ美感を呈するものとすることにある。【０００３】  上記３つの目的を達成するために特開２００１−１０９４７８号では、先ず１つの吹き口に対して外側の壁面と内側の壁面とを具えた二重壁を有するメガホンとしている。そして拍子木とするべく内側の壁面が大きく振れて外側の壁面に当たることが出来るように、内側の壁面と外側の壁面との間隔を大きく取るように構成している。これにより、内側の壁面と外側の壁面との間で反響作用が生ずる。また外側の壁面を透明な素材で形成して、この透明な壁面に続くその後ろの大きな空間によって拡声筒に透明感や美感を付与するようにしている。
【先行技術文献】
【特許文献】
【０００４】
【特許文献１】特開２００１−１０９４７８号公報
【考案の概要】
【考案が解決しようとする課題】
【０００５】  確かに特開２００１−１０９４７８号は所期の３つの目的を達成するものになってはいる。特に第３の目的は外側の壁面を透明にして内側の壁面との間に広い空間を取り、透明な外側の壁面を透し広い空間を透かして見せるようにすることで、透明感や美感を表すことが出来た。そしてこの広い空間により「反響作用」と「拍子木」とが実現されているのであった。【０００６】  しかしながら、拡声筒に透明感や美感を付与したいとする目的のみを達成しようとすると、「反響作用」と「拍子木」とに係る、内側の壁面と外側の壁面との間隔を大きく取る構成が作用して内側の壁面が大きく動くために、これが外側の壁面にすなわち持っている手に伝わり、不安定な感覚を受けると言う問題が生じている。殊に拍子木としての打撃音を不要と感じるユーザーには特開２００１−１０９４７８号の発明は不向きである。なお「反響作用」と「拍子木」とを実現するための大きな間隔は、大きな空間そのものによる立体感は表現出来るものの、このような空間に目が行ってしまい外側の透明な壁面を活かした立体感を表現することが難しかったのである。【０００７】  そこでこの考案は、上述のような問題点を解決して、拡声筒に動いたりぶつかり合うような要素がなく、立体的な透明感や高級感溢れる美観を呈するようなメガホンを提供することを目的とするものである。
【課題を解決するための手段】
【０００８】  上記課題は、拡声筒と該拡声筒の後部に設けられた吹き口とから成り、前記拡声筒は内筒と外筒との二重構造を呈しており、前記外筒は透明であり、前記外筒が前記内筒との間に隙間を有して前記内筒とは前後の縁部で固定的に支持されるように設けられているか、または前記外筒が前記内筒に密着するように設けられているメガホンとすることによって達成される。また上記課題は、拡声筒と該拡声筒の後部に設けられた吹き口とから成り、前記拡声筒は内筒と中間筒と外筒との三重構造を呈しており、前記中間筒は前記内筒に密着するように設けられていると共に、前記外筒は透明であって、前記外筒が前記中間筒との間に隙間を有して前記中間筒および前記内筒とは前後の縁部で固定的に支持されるように設けられているか、または前記外筒が前記中間筒に密着するように設けられているメガホンとすることにより達成される。【０００９】  上記何れの構成の場合も、（１）外筒とその内側に位置する筒との間に隙間があるも、外筒がその内側に位置する筒を前後の縁部で固定的に支持していたり、（２）外筒がその内側に位置する筒に密着するように設けられていたりすることによって、この発明のメガホンを手に持って振ったり、もう一方の手で叩いたり、この発明の２つのメガホン同士を叩き合ったりしても、内側に位置する筒が動いて外筒にぶつかるような作用を生じない。また外筒とその内側に位置する筒との間が（１）隙間を有していても（２）密着していても、透明な外筒のその透過する厚みに視線を集めることにより、立体的な透明感や高級感溢れる美観を表すことが出来るのである。【００１０】  なお外筒は透明な素材から成るが、ここで言う透明素材とは透明または半透明な素材のことである。着色透明などもこのカテゴリー内のものである。外筒のすぐ内側に位置する筒に文字や図柄を表示しても良い。内側の筒に表わされた文字や図柄が、外側の透明な筒を透して立体的に見られるのである。この内側となる筒の素材の選択は任意であり、印刷性に優れた紙を使用することが出来る。【００１１】  次に、前記吹き口が前記拡声筒に対して着脱自在に設けられているものとしても良い。上述したように外筒のすぐ内側に位置する筒に文字や図柄を表示出来るが、この筒を異なる文字や図柄のものに交換することを可能にしたいと言う場合がある。このような場合に吹き口を外して拡声筒を分解し得るようであれば好都合である。
【考案の効果】
【００１２】  この考案によれば、拡声筒に動いたりぶつかり合うような要素がなく、立体的な透明感や高級感溢れる美観を呈するようなメガホンを提供することに成功している。
【図面の簡単な説明】
【００１３】
【図１】  実施例１のメガホンの説明図である。
【図２】  実施例２のダブルメガホンの説明図である。
【図３】  実施例３のメガホンの説明図である。
【図４】  実施例４のツインメガホンの説明図である。
【考案を実施するための形態】
【００１４】  以下この考案の４種の実施例を図面に基づいて説明するが、この考案はこれ等の実施例に限定されるものではない。
【実施例１】
【００１５】  図１のメガホンは、拡声筒が内筒１とその外側の透明外筒２とから構成され、拡声筒の後部には、内筒１に設けられたネジ部１０に螺合するネジ部１２が設けられた吹き口１１が取り付けられている。この吹き口１１は前記透明外筒２を止めておく役割をも担っている。なおこの実施例では、透明外筒２の肉厚は、拡声筒の拡声口（図１では左側の口）に近い側よりも吹き口１１に近い側の方が厚くなるように設計されている。【００１６】  このメガホンでは、吹き口１１の側に口を当てて発生すると、その声は前記拡声口から前方に拡声される。内筒１と透明外筒２とは密着するように設けられている。また内筒１の外周面には図示しない印刷が施されている。吹き口１１は内筒１に対して、前記ネジ部１０，１２により着脱自在である。従って吹き口１１を外せば異なる印刷の内筒１に取り替えることが出来る。【００１７】  このメガホンは、透明外筒２のその透過する厚みに視線を集めることにより、立体的な透明感や高級感溢れる美観を表すことが出来る。しかもこの実施例の透明外筒２は特に、その肉厚が前記拡声口に近い側よりも吹き口１１に近い側の方が厚くなるように設けられているため、立体感に変化が出てこれが立体感をより際立たせるものとなっている。この効果を利用して、透明外筒２の表面に凹凸を付けたり波状に加工したものとすると良い。レリーフを構成するのも装飾的で良い。なお透明外筒２の肉厚を均一にした場合であっても所期の目的が達成されることは言うまでもない。なおこのメガホンでは、外周面に印刷が施された内筒１と透明外筒２とが密着するように設けられているが、印刷した紙筒等を内筒１と透明外筒２との間に密着させて挿入するような構成も可能である。
【実施例２】
【００１８】  図２のメガホンは、当出願人が発明して命名した特許３０９９２８のＷメガホンをこの考案に適用したものであり、内筒３とその外側の透明外筒４とから成る拡声筒を拡声口の側から見た図である。このメガホンは左右２個の前記拡声筒が吹き口を兼ねる結束筒３１によって束ねられているものであり、この結束筒３１を一方の手で握り、他方の手で前記拡声筒を叩くと拡声筒が互いに打ち合って打撃音を発生すると言うものである。打ち合う部位は、内筒３の互いに打ち合う側に設けられた打撃凸部３０である。【００１９】  内筒３はおよそ半円錐形状の筒であり、この平面側の一部に前記打撃凸部３０が形成されている。また内筒３の外側を、前記打撃凸部３０を除いて、透明外筒４が密着した構成となっている。他の実施例では外筒が内筒の全周を覆っているが、この実施例では内側のあまり良く見えない部位は、すなわちここでは打撃凸部３０がある部位は、外筒が内筒を覆わないように構成する例とした。なお透明外筒４の内壁に、外側に向けて印刷を施し、この印刷面に図示しない粘着面を形成した内ステッカー４０が、前記粘着面から貼付されており、この印刷を透明外筒４を透して見ることが出来るように成っている。【００２０】  このメガホンでは、吹き口を兼ねる結束筒３１に口を当てて発声すると、その声が左右の前記拡声口から前方に拡声される点がユニークである。そして透明外筒４のその透過する厚みに視線を集めることによって、立体的な透明感や高級感溢れる美観を見せることが出来る。しかも透明外筒４は左右で１対あるため、立体的な透明感に係る効果をより高めている。さらにスポーツ観戦などでは内筒３を打ち合って打撃音を発生させて応援することが出来るのである。
【実施例３】
【００２１】  図３のメガホンは拡声筒が、内筒１とこの外周面に密着する中間紙筒６と、さらにその外側の透明外筒５とによる三重構造に成るものであって、中間紙筒６と透明外筒５との間には隙間５０が形成されている点に特徴を有する。この拡声筒の後部には、内筒１に設けられたネジ部１０に螺合するネジ部１２が設けられた吹き口１１が取り付けられている。この吹き口１１は前記透明外筒５を、隙間５０を保って止めておく役割をも担っている。一方、拡声筒の拡声口（図３では左側の口）に於いて、透明外筒５の縁部は内筒１の縁部の周りにぴたりと嵌って固定的に支持されている。なおこの実施例の透明外筒５は、上述した実施例１の透明外筒２とは異なり、その肉厚が全体的に均一となるように成型されている。【００２２】  このメガホンでは、中間紙筒６の外周面に図示しない印刷が施されている。吹き口１１は内筒１に対して、前記ネジ部１０，１２により着脱自在であるから、吹き口１１を外せば中間紙筒６を異なる印刷のものに取り替えることが出来る。この中間紙筒６の印刷部分は、前記隙間５０とさらにその外側の透明外筒５とを透して見ることになる。従って立体的な透明感や高級感溢れる美観を表すことが出来るのであるが、僅かな隙間５０によって立体感に厚みが出てこれが立体感をより際立たせるものとなっている。【００２３】  なお前記中間紙筒６と前記透明外筒５との間に隙間５０を形成せずに密着させる設計も可能である。あるいは隙間５０を形成する場合であって、前記中間紙筒６を用いない設計も可能である。すなわち、内筒１とその外側の透明外筒５とから成り、内筒１と透明外筒５との間に隙間５０が形成されたものである。印刷が必要であれば内筒１の外周面に施すようにすれば良い。
【実施例４】
【００２４】  図４のメガホンは、当出願人が命名して販売しているツインメガホンをこの考案に適用したものであり、図４の上側のメガホンが上述の実施例３のものであり、下側のメガホンは拡声筒７と吹き口７０とから成るごく一般的なものである。また上側のメガホンの吹き口１１には紐通し孔１３が開孔されており、下側のメガホンの吹き口にも紐通し孔７１が開孔されており、この紐通し孔１３，７１に紐８を通して２つのメガホンが一体化されている。【００２５】  このツインメガホンは、各々のメガホンの吹き口１１，７０を吹いて声援を贈ることが出来る。また紐８で一体化されているため、首などから吊り下げて用いることが出来る。また２つのメガホンを左右の手に持って叩き合わせることにより、応援用の打撃音を発生させることが出来る。【００２６】  上側のメガホンに付いて前記中間紙筒６の表面にはステッカー６０が貼付されている。従ってこのステッカー６０は上述した隙間５０とさらにその外側の透明外筒５とを透して見ることになる。これによりステッカー６０の上に立体的な透明感を見せることが出来るのである。拡声筒に透明感が出て美感を呈するものとなっている。僅かな隙間５０の存在は効果的である。なお下側のメガホンの拡声筒７の表面にもステッカー７２が貼付されている。【００２７】  なお前記中間紙筒６を不要とする構成も可能である。内筒１の外周面に直接印刷を施すようにしても良い。あるいは内筒１の外周面をエンボス加工などにより絵柄を浮き上がらせるように構成してもよい。これ等のステッカー６０や印刷面などは内筒１に設けられているため、透明外筒５に護られて水濡れし難く汚れが付着し辛くまた傷も付き難いという特長を有する。
【産業上の利用可能性】
【００２８】  この考案のメガホンは、マイクとアンプとスピーカとを一体に設けて成る拡声器を筒の内部に納めた、アンプ付きのメガホンとして構成することが可能である。
【符号の説明】
【００２９】１    内筒
１０  ネジ部
１１  吹き口
１２  ネジ部
１３  紐通し孔
２    透明外筒
３    内筒
３０  打撃凸部
３１  結束筒
４    透明外筒
４０  内ステッカー
５    透明外筒
５０  隙間
６    中間紙筒
６０  ステッカー
７    拡声筒
７０  吹き口
７１  紐通し孔
７２  ステッカー
８    紐
【図１】
0003165694.tif 000003
【図２】
0003165694.tif 000004
【図３】
0003165694.tif 000005
【図４】
0003165694.tif 000006
【手続補正書】
【提出日】平成22年11月4日(2010.11.4)
【手続補正１】
【補正対象書類名】実用新案登録請求の範囲
【補正対象項目名】請求項１
【補正方法】変更
【補正の内容】
【請求項１】
拡声筒と該拡声筒の後部に設けられた吹き口とから成り、前記拡声筒は内筒と外筒との二重構造を呈しており、前記外筒は透明であって、前記外筒が前記内筒との間に隙間を有して前記内筒とは前後の縁部で固定的に支持されるように設けられているか、または前記外筒が前記内筒に密着するように設けられているメガホン。
【手続補正２】
【補正対象書類名】実用新案登録請求の範囲
【補正対象項目名】請求項２
【補正方法】変更
【補正の内容】
【請求項２】
拡声筒と該拡声筒の後部に設けられた吹き口とから成り、前記拡声筒は内筒と中間筒と外筒との三重構造を呈しており、前記中間筒は前記内筒に密着するように設けられていると共に、前記外筒は透明であって、前記外筒が前記中間筒との間に隙間を有して前記中間筒および前記内筒とは前後の縁部で固定的に支持されるように設けられているか、または前記外筒が前記中間筒に密着するように設けられているメガホン。